(57)【要約】  【課題】  予めＩＤを設定することなく、開閉された扉等の場所を特定することが可能な建物の開閉体の開閉検出システムを提供する。  【解決手段】  このシステム１は、開き戸４１、引き戸４２、窓４３にそれぞれ取り付けられた送信機２〜４と、受信機５とを具備する。送信機２〜４は、開き戸４１、引き戸４２、窓４３の開閉によって発電し、発電した電力を用いて、開き戸４１、引き戸４２、窓４３の開閉を表す信号を異なる周波数帯の電波にそれぞれ変換して送信する。受信機５は、送信機２〜４がそれぞれ送信する複数の周波数帯の電波に基づいて、開き戸４１、引き戸４２、窓４３の開閉を検出する。【選択図】  図１
2005339345.tif 000002
【特許請求の範囲】
【請求項１】
建物の複数の開口部に設けられた複数の開閉体にそれぞれ取り付けられた複数の送信機と、受信機とを具備し、前記複数の開閉体の開閉を検出するためのシステムであって、
前記複数の送信機が、
前記複数の開閉体の開閉によって発電し、発電した電力を用いて、前記複数の開閉体の開閉を表す信号を異なる周波数帯の電波にそれぞれ変換して送信し、
前記受信機が、
前記複数の送信機がそれぞれ送信する複数の周波数帯の電波に基づいて、前記複数の開閉体の開閉を検出すること
を特徴とする建物の開閉体の開閉検出システム。
【請求項２】
前記複数の送信機の各々が、
前記開閉体に直接又は所定の機構を介して接続され、前記開閉体の開閉に応じたパルス信号を出力するとともに発電を行うための発電機と、
前記発電機によって発電された電流を整流するための整流回路と、
前記パルス信号を濾波するためのフィルタ回路と、
電波を送信するためのアンテナと、
前記整流回路から供給される電力を用いて動作し、固有の周波数を有するキャリア信号を前記フィルタ回路の出力信号に基づいて変調し、前記アンテナを介して前記受信機に電波を送信するための発振回路と、
を具備する、請求項１記載の建物の開閉体の開閉検出システム。
【請求項３】
前記受信機が、
電波を受信するためのアンテナと、
前記複数の送信機がそれぞれ送信する複数の周波数帯の電波を前記アンテナを介して受信し、複数の周波数帯の信号に分波するための分波回路と、
前記分波回路が出力する複数の周波数帯の信号に基づいて、前記複数の開閉体の開閉をそれぞれ検出するための複数の検出回路と、
を具備する、請求項１又は２記載の建物の開閉体の開閉検出システム。
【請求項４】
前記発電機が、前記開閉体の開閉に応じて回転する磁石と、複数のコイルとを具備し、
前記複数の検出回路が、
前記複数の送信機内の前記磁石の回転数の変化のパターンをそれぞれ識別可能である、請求項２又は３記載の建物の開閉体の開閉検出システム。
【発明の詳細な説明】
【技術分野】
【０００１】
本発明は、建物の複数の開口部に設けられた複数の開閉体の開閉を検出するための建物の開閉体の開閉検出システムに関する。
【背景技術】
【０００２】
従来より、自己発電可能で、かつ、送信機能を備えたモジュールを有する建物の開閉体が知られている（例えば、特許文献１、２参照）。
特許文献１、２に掲載されている建物の開閉体によれば、発信器毎にＩＤを設定し、受信側で発信箇所、すなわち開閉された扉等の場所を特定することができる。
しかしながら、これらの建物の開閉体においては、開閉された扉等の場所を特定するために、予め発信器毎にＩＤを設定する必要があった。
【０００３】
【特許文献１】特開２００４−９２１２１号公報
【特許文献２】特開２００４−９２１２２号公報
【発明の開示】
【発明が解決しようとする課題】
【０００４】
そこで、上記の点に鑑み、本発明は、予めＩＤを設定することなく、開閉された扉等の場所を特定することが可能な建物の開閉体の開閉検出システムを提供することを目的とする。
【課題を解決するための手段】
【０００５】
以上の課題を解決するため、本発明に係る建物の開閉体の開閉検出システムは、建物の複数の開口部に設けられた複数の開閉体にそれぞれ取り付けられた複数の送信機と、受信機とを具備し、複数の開閉体の開閉を検出するためのシステムであって、複数の送信機が、複数の開閉体の開閉によって発電し、発電した電力を用いて、複数の開閉体の開閉を表す信号を異なる周波数帯の電波にそれぞれ変換して送信し、受信機が、複数の送信機がそれぞれ送信する複数の周波数帯の電波に基づいて、複数の開閉体の開閉を検出することを特徴とする。
【０００６】
ここで、複数の送信機の各々が、開閉体に直接又は所定の機構を介して接続され、開閉体の開閉に応じたパルス信号を出力するとともに発電を行うための発電機と、発電機によって発電された電流を整流するための整流回路と、パルス信号を濾波するためのフィルタ回路と、電波を送信するためのアンテナと、整流回路から供給される電力を用いて動作し、固有の周波数を有するキャリア信号をフィルタ回路の出力信号に基づいて変調し、アンテナを介して前記受信機に電波を送信するための発振回路とを具備することとしても良い。
【０００７】
また、受信機が、電波を受信するためのアンテナと、複数の送信機がそれぞれ送信する複数の周波数帯の電波をアンテナを介して受信し、複数の周波数帯の信号に分波するための分波回路と、分波回路が出力する複数の周波数帯の信号に基づいて、複数の開閉体の開閉をそれぞれ検出するための複数の検出回路とを具備することとしても良い。
【０００８】
また、発電機が、開閉体の開閉に応じて回転する磁石と、複数のコイルとを具備し、複数の検出回路が、複数の送信機内の磁石の回転数の変化のパターンをそれぞれ識別可能であることとしても良い。
【発明を実施するための最良の形態】
【０００９】
以下、図面を参照しながら、本発明を実施するための最良の形態について説明する。なお、同一の構成要素には同一の参照符号を付して、説明を省略する。
図１は、本発明の一実施形態に係る建物の開閉体の開閉を検出するためのシステムの概要を示す図である。このシステム１は、送信機２〜４と、受信機５とを具備する。送信機２は、開き戸４１に、送信機３は、引き戸４２に、送信機４は、窓４３に、それぞれ取り付けられている。システム１は、これらの開き戸４１、引き戸４２、及び、窓４３の開閉を検出するためのものである。
【００１０】
図２は、送信機２の内部構成の概要を示す図である。図２に示すように、送信機２は、発電機１１と、整流回路１２と、フィルタ回路１３と、発振回路１４と、アンテナ１５とを具備する。
発電機１１は、軸２２を中心として回転可能な磁石２１と、コイル２３〜２５とを有している。
【００１１】
軸２２は、開き戸４１と直接に、又は所定の機構（例えば、ギヤ、ワイヤ、ベルト、チェーン等）を介して接続されている。これにより、開き戸４１が開閉されると、磁石２１は、軸２２を中心として回転させられる。
磁石２１が回転すると、コイル２３には、電磁誘導によりパルス信号が発生する。図３は、磁石の回転数と、電磁誘導によって発生するパルス信号の一例とを示す図である。図３に示すように、磁石の回転数が低いときには、パルス間の時間が長く、磁石の回転数が高いときには、パルス間の時間が短くなる。
【００１２】
再び図２を参照すると、コイル２３にて発生したパルス信号は、フィルタ回路１３に供給される。フィルタ回路１３は、このパルス信号を濾波して発振回路１４に供給する。
一方、発電機１１内のコイル２４、２５にも、電磁誘導により電流が発生する。この電流は、整流回路１２に供給される。整流回路１２は、この電流を整流し、発振回路１４に供給する。
【００１３】
発振回路１４は、整流回路１２から供給される電流を電源として用いて動作する。そして、発振回路１４は、所定の第１の周波数を有するキャリア信号をフィルタ回路１３の出力信号に基づいて変調し、アンテナ１５を介して受信機５に電波を送信する。
【００１４】
なお、送信機３、４（図１参照）の内部構成も、図２に示す送信機２の内部構成と略同様であるが、発振回路のキャリア信号の周波数が異なっている。すなわち、送信機３は、第２の周波数を有する信号をキャリア信号とし、送信機４は、第３の周波数を有する信号をキャリア信号とする。
このように、送信機２〜４のキャリア信号の周波数が異なっているため、開き戸４１、引き戸４２、及び、窓４３が同時に開閉された場合であっても、混信が生ずることがない。
【００１５】
また、戸の種類、戸に閉塞装置（ドアクローザ）が備えられている場合における閉塞装置のトルク、戸と送信機２〜４との間の機構等により、送信機２〜４内の磁石の回転速度が異なる。図４（ａ）は、開き戸４１が開閉された場合の送信機２内の磁石の回転数の変化の一例を示す図であり、図４（ｂ）は、引き戸４２が開閉された場合の送信機３内の磁石の回転数の変化の一例を示す図であり、図４（ｃ）は、窓４３が開閉された場合の送信機４内の磁石の回転数の変化の一例を示す図である。
【００１６】
図５は、受信機５の内部構成の概要を示す図である。図５に示すように、受信機５は、アンテナ３１と、分波回路３２と、検出回路３３〜３５とを具備する。
分波回路３２は、アンテナ３１を介して、送信機２〜４が送信する電波を信号に変換し、さらに第１〜第３の周波数帯の信号に分波して、検出回路３３〜３５に供給する。
【００１７】
検出回路３３は、開き戸４１の開閉に伴う送信機２内の磁石２１の回転数の変化（図４（ａ）参照）のパターンを識別可能であり、分波回路３２が供給する第１の周波数帯の信号に基づいて、開き戸４１の開閉を検出する。
同様に、検出回路３４、３５は、引き戸４２、窓４３の開閉に伴う送信機３、４内の磁石の回転数の変化（図４（ｂ）、（ｃ）参照）のパターンをそれぞれ識別可能であり、分波回路３２が供給する第２、第３の周波数帯の信号に基づいて、引き戸４２、窓４３の開閉をそれぞれ検出する。
【００１８】
このように、システム１によれば、予め送信機２〜４毎にＩＤを設定することなく、開き戸４１、引き戸４２、及び、窓４３の開閉を検出することができる。また、送信機２〜４のキャリア周波数が異なるので、開き戸４１、引き戸４２、及び、窓４３が同時に開閉された場合であっても混信が生ずることがなく、開き戸４１、引き戸４２、及び、窓４３の開閉を検出可能である。
【産業上の利用可能性】
【００１９】
本発明は、建物の複数の開口部に設けられた複数の開閉体の開閉を検出するための建物の開閉体の開閉検出システムにおいて利用可能である。
【図面の簡単な説明】
【００２０】
【図１】本発明の一実施形態に係るシステムの概要を示す図。
【図２】図１の送信機２の内部構成の概要を示す図。
【図３】図２の磁石２１の回転数とコイル２３の出力信号の波形を示す図。
【図４】図１の送信機２〜４内の磁石の回転数を示す図。
【図５】図１の受信機の内部構成の概要を示す図。
【符号の説明】
【００２１】
１  建物の開閉体の開閉検出システム、２〜４  送信機、５  受信機、１１  発電機、１２  整流回路、１３  フィルタ回路、１４  発振回路、１５、３１  アンテナ、２１  磁石、２３〜２５  コイル、３２  分波回路、３３〜３５  検出回路
【図１】
2005339345.tif 000003
【図２】
2005339345.tif 000004
【図３】
2005339345.tif 000005
【図４】
2005339345.tif 000006
【図５】
2005339345.tif 000007